(57)【特許請求の範囲】
【請求項１】
電子メールの一覧を表示部に表示させる一覧表示制御部と、
前記表示部に表示された電子メールの一覧から電子メールを選択する選択部と、
前記選択部により選択された電子メールにフラグを設定するための第１の項目と、フラグが設定された電子メールのみを前記表示部に表示するための第２の項目との少なくとも一方を含むメニューを前記表示部に表示させるメニュー表示制御部と、
前記メニューから前記第１の項目が選択された場合、前記選択部により選択された電子メールにフラグを設定するフラグ設定部と、
前記メニューから前記第２の項目が選択された場合、前記フラグ設定部によってフラグが設定された電子メールのみを前記表示部に表示させるフィルタ表示制御部と
を備え、
前記メニュー表示制御部は、
前記選択部により選択された電子メールに前記フラグが設定されていない場合、前記第２の項目を含まないメニューを前記表示部に表示させ、
前記選択部により選択された電子メールに前記フラグが設定されている場合、前記第１の項目を含まないメニューを前記表示部に表示させる
ことを特徴とする携帯電話装置。
【請求項２】
前記一覧表示制御部は、前記フラグ設定部によってフラグが設定された電子メールを強調して前記表示部に表示させることを特徴とする請求項１に記載の携帯電話装置。
【請求項３】
前記フラグ設定部は、前記選択部により選択された電子メールに１種類または複数種類のフラグを設定し、
前記フィルタ表示制御部は、前記選択部により選択された電子メールと同じ種類のフラグが設定された電子メールのみを表示させる
ことを特徴とする請求項１または請求項２に記載の携帯電話装置。
【請求項４】
携帯電話装置の制御方法であって、
一覧表示制御部は、電子メールの一覧を表示部に表示させ、
選択部は、前記表示部に表示された電子メールの一覧から電子メールを選択し、
メニュー表示制御部は、前記選択部により選択された電子メールにフラグを設定するための第１の項目と、フラグが設定された電子メールのみを前記表示部に表示するための第２の項目との少なくとも一方を含むメニューを前記表示部に表示させ、
フラグ設定部は、前記メニューから前記第１の項目が選択された場合、前記選択部により選択された電子メールにフラグを設定し、
フィルタ表示制御部は、前記メニューから前記第２の項目が選択された場合、前記フラグ設定部によってフラグが設定された電子メールのみを前記表示部に表示させ、
前記メニュー表示制御部は、前記選択部により選択された電子メールに前記フラグが設定されていない場合、前記第２の項目を含まないメニューを前記表示部に表示させ、
前記メニュー表示制御部は、前記選択部により選択された電子メールに前記フラグが設定されている場合、前記第１の項目を含まないメニューを前記表示部に表示させる
ことを特徴とする制御方法。
【請求項５】
携帯電話装置を、
電子メールの一覧を表示部に表示させる一覧表示制御部、
前記表示部に表示された電子メールの一覧から電子メールを選択する選択部、
前記選択部により選択された電子メールにフラグを設定するための第１の項目と、フラグが設定された電子メールのみを前記表示部に表示するための第２の項目との少なくとも一方を含むメニューを前記表示部に表示させるメニュー表示制御部、
前記メニューから前記第１の項目が選択された場合、前記選択部により選択された電子メールにフラグを設定するフラグ設定部、
前記メニューから前記第２の項目が選択された場合、前記フラグ設定部によってフラグが設定された電子メールのみを前記表示部に表示させるフィルタ表示制御部
として機能させるためのプログラムであって、
前記メニュー表示制御部は、
前記選択部により選択された電子メールに前記フラグが設定されていない場合、前記第２の項目を含まないメニューを前記表示部に表示させ、
前記選択部により選択された電子メールに前記フラグが設定されている場合、前記第１の項目を含まないメニューを前記表示部に表示させる
ことを特徴とするプログラム。
【発明の詳細な説明】
【技術分野】
【０００１】
本発明は、電子メールの閲覧機能を有する携帯電話装置、制御方法、及びプログラムに関する。
【背景技術】
【０００２】
携帯電話装置の電子メールの閲覧機能には、フィルタ機能を有するものが多く存在する。フィルタ機能とは、全ての電子メールのうち特定の電子メールのみを表示させる機能のことである。一般的な携帯電話装置のフィルタ機能は、未読の電子メールのみを表示させるフィルタや、添付ファイルつきの電子メールのみを表示させるフィルタなど、特定の属性を有する電子メールに対してフィルタリングを行うものである。
【０００３】
また、他人に見せたくない電子メールに対してシークレット設定をしておき、シークレット設定がなされた電子メールのみを表示させないようにするフィルタが、特許文献１に開示されている。
【先行技術文献】
【特許文献】
【０００４】
【特許文献１】特開２００２−３７３１４０号公報
【発明の概要】
【発明が解決しようとする課題】
【０００５】
しかしながら、携帯電話装置のフィルタ機能は、特定の属性を有する電子メールに対してフィルタリングを行うものであるため、複数の人からの電子メールをフィルタリングしたい場合や、関連性のある電子メールを自由にフィルタリングすることができない。これらのフィルタリングは、電子メールのフォルダ機能を利用することで実現することもできるが、電子メールそのものがフォルダを移動することとなるため、フィルタリングの後に元に戻す作業が必要となる。
【０００６】
また、個々の電子メールに対してシークレット設定を用いることで、シークレット設定がなされていない電子メールのみを表示させることができるが、ユーザがフィルタリングしたい電子メールが少量である場合、その他の電子メールの全てに対してシークレット設定を行う必要がある。また、他人に見せてもよい電子メールとユーザがフィルタリングしたい電子メールとは必ずしも一致しないため、閲覧したい電子メールをフィルタリングする際にシークレットモードを用いることは得策ではない。
【課題を解決するための手段】
【０００７】
本発明は上記の課題を解決するためになされたものであり、電子メールの一覧を表示部に表示させる一覧表示制御部と、前記表示部に表示された電子メールの一覧から電子メールを選択する選択部と、前記選択部により選択された電子メールにフラグを設定するための第１の項目と、フラグが設定された電子メールのみを前記表示部に表示するための第２の項目との少なくとも一方を含むメニューを前記表示部に表示させるメニュー表示制御部と、前記メニューから前記第１の項目が選択された場合、前記選択部により選択された電子メールにフラグを設定するフラグ設定部と、前記メニューから前記第２の項目が選択された場合、前記フラグ設定部によってフラグが設定された電子メールのみを前記表示部に表示させるフィルタ表示制御部とを備え、前記メニュー表示制御部は、前記選択部により選択された電子メールに前記フラグが設定されていない場合、前記第２の項目を含まないメニューを前記表示部に表示させ、前記選択部により選択された電子メールに前記フラグが設定されている場合、前記第１の項目を含まないメニューを前記表示部に表示させることを特徴とする。
【０００８】
また、本発明は、携帯電話装置の制御方法であって、一覧表示制御部は、電子メールの一覧を表示部に表示させ、選択部は、前記表示部に表示された電子メールの一覧から電子メールを選択し、メニュー表示制御部は、前記選択部により選択された電子メールにフラグを設定するための第１の項目と、フラグが設定された電子メールのみを前記表示部に表示するための第２の項目との少なくとも一方を含むメニューを前記表示部に表示させ、フラグ設定部は、前記メニューから前記第１の項目が選択された場合、前記選択部により選択された電子メールにフラグを設定し、フィルタ表示制御部は、前記メニューから前記第２の項目が選択された場合、前記フラグ設定部によってフラグが設定された電子メールのみを前記表示部に表示させ、前記メニュー表示制御部は、前記選択部により選択された電子メールに前記フラグが設定されていない場合、前記第２の項目を含まないメニューを前記表示部に表示させ、前記メニュー表示制御部は、前記選択部により選択された電子メールに前記フラグが設定されている場合、前記第１の項目を含まないメニューを前記表示部に表示させることを特徴とする。
【０００９】
また、本発明は、携帯電話装置を、電子メールの一覧を表示部に表示させる一覧表示制御部、前記表示部に表示された電子メールの一覧から電子メールを選択する選択部、前記選択部により選択された電子メールにフラグを設定するための第１の項目と、フラグが設定された電子メールのみを前記表示部に表示するための第２の項目との少なくとも一方を含むメニューを前記表示部に表示させるメニュー表示制御部、前記メニューから前記第１の項目が選択された場合、前記選択部により選択された電子メールにフラグを設定するフラグ設定部、前記メニューから前記第２の項目が選択された場合、前記フラグ設定部によってフラグが設定された電子メールのみを前記表示部に表示させるフィルタ表示制御部として機能させるためのプログラムであって、前記メニュー表示制御部は、前記選択部により選択された電子メールに前記フラグが設定されていない場合、前記第２の項目を含まないメニューを前記表示部に表示させ、前記選択部により選択された電子メールに前記フラグが設定されている場合、前記第１の項目を含まないメニューを前記表示部に表示させることを特徴とするプログラムである。
【発明の効果】
【００１０】
本発明によれば、個々の電子メールにフラグを設定する機能と、フラグが設定された電子メールのみを表示部に表示させる機能とを備える。これにより、携帯電話装置は、フォルダ機能及びシークレット機能を用いずに、任意の電子メールのフィルタリングをすることができる。
【図面の簡単な説明】
【００１１】
【図１】本発明の一実施形態による携帯電話装置の構成を示す概略ブロック図である。
【図２】携帯電話装置による電子メールの表示動作を示す図である。
【図３】携帯電話装置の画面例を示す図である。
【発明を実施するための形態】
【００１２】
以下、図面を参照しながら本発明の実施形態について詳しく説明する。
図１は、本発明の一実施形態による携帯電話装置の構成を示す概略ブロック図である。
記憶部１、表示部２、選択部３、フラグ設定部４、一覧表示制御部５、フィルタ表示制御部６、メニュー表示制御部７を備える。
記憶部１は、携帯電話装置が受信した、または送信した電子メールを記憶する。
表示部２は、ＬＣＤ（Ｌｉｑｕｉｄ  Ｃｒｙｓｔａｌ  Ｄｉｓｐｌａｙ：液晶ディスプレイ）などで構成され、情報を表示する。
選択部３は、携帯電話装置が備える十字キー（図示せず）、決定キー（図示せず）、及びソフトキー（図示せず）の操作により、表示部２に表示された電子メールの選択、及び表示部２に表示されたメニューの項目の選択を行う。
【００１３】
フラグ設定部４は、選択部３によって選択された電子メールにフラグを設定する。ここで、「フラグを設定する」とは、記憶部１が記憶する電子メールのフラグ情報を０から１に書き換える処理のことをいう。なお、フラグの設定方法はこれに限られず、例えば記憶部１にフラグテーブルを用意し、選択部３によって選択された電子メールの識別情報を当該フラグテーブルに蓄積させることでフラグの設定を行っても良い。また、フラグ設定部４は、複数種類のフラグを各電子メールに設定することができる。
【００１４】
一覧表示制御部５は、記憶部１が記憶する電子メールの一覧を表示部２に表示させる。
フィルタ表示制御部６は、記憶部１が記憶する電子メールのうち、フラグが設定されているもののみを表示部２に表示させる。
メニュー表示制御部７は、選択部３によって選択された電子メールに対する処理のメニュー画面を表示部２に表示させる。
【００１５】
上記構成を備えることで、携帯電話装置は、以下の処理を行う。すなわち、一覧表示制御部５は、電子メールの一覧を表示部２に表示させる。選択部３は、表示部２に表示された電子メールの一覧から電子メールを選択する。メニュー表示制御部７は、選択部３により選択された電子メールにフラグを設定するための第１の項目と、フラグが設定された電子メールのみを表示部２に表示するための第２の項目との少なくとも一方を含むメニューを表示部２に表示させる。フラグ設定部４は、メニューから第１の項目が選択された場合、選択部３により選択された電子メールにフラグを設定する。フィルタ表示制御部６は、メニューから第２の項目が選択された場合、フラグ設定部４によってフラグが設定された電子メールのみを表示部２に表示させる。
これにより、携帯電話装置は、フォルダ機能及びシークレット機能を用いずに、任意の電子メールのフィルタリングをすることができる。
【００１６】
次に、携帯電話装置による電子メールの表示動作を説明する。
図２は、携帯電話装置による電子メールの表示動作を示す図である。
ユーザの操作によって携帯電話装置が電子メール閲覧機能を起動すると、一覧表示制御部５は、記憶部１が記憶する電子メールを１つずつ読み出す（ステップＳ１）。次に、一覧表示制御部５は、読み出した電子メールにフラグが設定されているか否かを判定する（ステップＳ２）。一覧表示制御部５は、読み出した電子メールにフラグが設定されていないと判定した場合（ステップＳ２：ＮＯ）、通常の装飾で当該電子メールを一覧に表示させる（ステップＳ３）。他方、一覧表示制御部５は、読み出した電子メールにフラグが設定されていると判定した場合（ステップＳ２：ＹＥＳ）、当該電子メールに設定されたフラグの色を背景として強調させた装飾で、当該電子メールを一覧に表示させる（ステップＳ４）。
【００１７】
図３は、携帯電話装置の画面例を示す図である。
記憶部１が記憶する全ての電子メールに対してステップＳ１〜ステップＳ４の処理を実行すると、表示部２は、図３（Ａ）に示すような画面を表示することとなる。
図３（Ａ）に示す画面において、電子メールの一覧の上から３つ目に表示された電子メールは、フラグが設定されている電子メールを示すものであり、当該フラグの色を背景として強調表示されている。なお、当該画面において、電子メールの一覧のうち１つがカーソルによってフォーカスされている。ここで、フォーカスとは、１つの電子メールを選択の対象としている状態を示す。ある電子メールにカーソルがあった状態、すなわちある電子メールがフォーカスされた状態でユーザが決定キーまたはソフトキーを押下することで、当該電子メールが選択される。
【００１８】
ステップＳ１〜Ｓ４の処理によって表示部２が電子メールの一覧画面を表示すると、ユーザは十字キーを用いてカーソルを操作し、決定キーまたはソフトキーの押下によって電子メールを選択する。選択部３は、ユーザによる電子メールの選択を受け付ける（ステップＳ５）。なお、ユーザが決定キーを押下することで電子メールを選択した場合、携帯電話装置は、当該電子メールの内容を表示部２に表示させる。他方、ユーザがソフトキーを押下することで電子メールを選択した場合、携帯電話装置は、当該電子メールに対する処理項目の一覧を示すメニュー画面を表示部２に表示させる。本実施形態では、ユーザがソフトキーを押下した場合、すなわちメニュー画面を表示させる場合の処理について説明する。
【００１９】
ステップＳ５で選択部３が電子メールの選択を受け付けると、メニュー表示制御部７は、記憶部１から当該電子メールを読み出し、当該電子メールにフラグが設定されているか否かを判定する（ステップＳ６）。メニュー表示制御部７は、フラグが設定されていないと判定した場合（ステップＳ６：ＮＯ）、図３（Ｂ）に示すように、当該電子メールに対する処理項目の一覧を示すメニュー画面を表示部２に表示させる（ステップＳ７）。なお、フラグが設定されていない電子メールに対する処理項目は、図３（Ｂ）に示すように、当該電子メールを開く（内容を表示させる）処理、当該電子メールの送信元に電子メールを返信する処理、当該電子メールの内容を転送する処理、当該電子メールを削除する処理、及び当該電子メールにフラグを設定する処理（第１の項目）が挙げられる。
【００２０】
表示部２がメニュー画面を表示すると、ユーザは十字キーを用いてカーソルを操作し、決定キーの押下によって電子メールに対する処理項目を選択する。選択部３は、ユーザによる処理項目の選択を受け付ける。次に、メニュー表示制御部７は、選択された処理項目が、電子メールにフラグを設定する処理であるか否かを判定する（ステップＳ８）。選択された処理項目が電子メールにフラグを設定する処理以外の処理項目であると判定した場合（ステップＳ８：ＮＯ）、携帯電話装置は、選択された処理項目に対応する処理を実行し、当該電子メールに対する処理を終了する。
【００２１】
他方、選択された処理項目が電子メールにフラグを設定する処理であると判定した場合（ステップＳ８：ＹＥＳ）、メニュー表示制御部７は、図３（Ｃ）に示すように、選択された電子メールに設定するフラグの色を選択させるメニューを、表示部２に表示させる（ステップＳ９）。
表示部２がフラグの色を選択させるメニューを表示すると、ユーザは十字キーを用いてカーソルを操作し、決定キーの押下によって設定するフラグの色を選択する。選択部３は、ユーザによるフラグの色の選択を受け付ける。なお、ユーザは、フラグの色を選択させるメニューにおいて決定キーではなくソフトキーを押下することで、フラグの設定を取りやめることができる。次に、フラグ設定部４は、ユーザによってフラグの色が選択されたか否かを判定する（ステップＳ１０）。
【００２２】
フラグ設定部４は、ユーザがフラグの色を選択せずにフラグの設定を取りやめたと判断した場合（ステップＳ１０：ＮＯ）、当該電子メールに対する処理を終了する。
他方、フラグ設定部４は、フラグの色が選択された場合（ステップＳ１０：ＹＥＳ）、ステップＳ５で選択された電子メールにステップＳ１０で選択された色のフラグを設定し（ステップＳ１１）、当該電子メールに対する処理を終了する。なお、ステップＳ１１で電子メールにフラグが設定されると、次回メールの一覧を表示させたときに、図３（Ｄ）に示すように、前回選択したメールが強調表示されることとなる。
【００２３】
一方、ステップＳ６において、メニュー表示制御部７は、選択された電子メールにフラグが設定されていると判定した場合（ステップＳ６：ＹＥＳ）、図３（Ｅ）に示すように、当該電子メールに対する処理項目の一覧を示すメニュー画面を表示部２に表示させる（ステップＳ１２）。なお、フラグが設定されていない電子メールに対する処理項目は、図３（Ｅ）に示すように、当該電子メールを開く処理、当該電子メールの送信元に電子メールを返信する処理、当該電子メールの内容を転送する処理、当該電子メールを削除する処理、及び当該電子メールに設定されたフラグと同じ色のフラグでフィルタリングを実行する処理（第２の項目）が挙げられる。
【００２４】
表示部２がメニュー画面を表示すると、ユーザは十字キーを用いてカーソルを操作し、決定キーの押下によって電子メールに対する処理項目を選択する。選択部３は、ユーザによる処理項目の選択を受け付ける。次に、メニュー表示制御部７は、選択された処理項目が、フィルタリングを実行する処理であるか否かを判定する（ステップＳ１３）。選択された処理項目がフィルタリングを実行する処理以外の処理項目であると判定した場合（ステップＳ１３：ＮＯ）、携帯電話装置は、選択された処理項目に対応する処理を実行し、当該電子メールに対する処理を終了する。
【００２５】
他方、選択された処理項目がフィルタリングを実行する処理であると判定した場合（ステップＳ１３：ＹＥＳ）、フィルタ表示制御部６は、記憶部１が記憶する電子メールを１つずつ読み出す（ステップＳ１４）。次に、フィルタ表示制御部６は、読み出した電子メールに、ステップＳ５で選択された電子メールと同じ色のフラグが設定されているか否かを判定する（ステップＳ１５）。フィルタ表示制御部６は、読み出した電子メールに異なる色のフラグが設定されていると判定した場合、及びフラグが設定されていないと判定した場合（ステップＳ１５：ＮＯ）、当該電子メールを一覧に表示させない。他方、フィルタ表示制御部６は、読み出した電子メールに同じ色のフラグが設定されていると判定した場合（ステップＳ１５：ＹＥＳ）、当該電子メールを一覧に表示させる（ステップＳ１６）。なお、本電子メールは、強調表示を行っても良いし、通常表示を行っても良い。
【００２６】
記憶部１が記憶する全ての電子メールに対してステップＳ１４〜ステップＳ１６の処理を実行すると、表示部２は、図３（Ｆ）に示すような画面を表示することとなる。
図３（Ｆ）に示す画面における各電子メールは、全て同じ色のフラグが設定されている電子メールを示すものである。
フィルタ表示制御部６が、記憶部１が記憶する全ての電子メールに対してステップＳ１４〜ステップＳ１６の処理を実行すると、携帯電話装置は、処理を終了する。
【００２７】
このように、本実施形態によれば、フラグ設定部４が個々の電子メールにフラグを設定すし、フィルタ表示制御部６は、フラグが設定された電子メールのみを表示部２に表示させる。これにより、携帯電話装置は、フォルダ機能及びシークレット機能を用いずに、任意の電子メールのフィルタリングをすることができる。
【００２８】
また、本実施形態によれば、一覧表示制御部５は、フラグが設定された電子メールを強調して表示部２に表示させる。これにより、ユーザは、フィルタリング処理を行わずとも、どの電子メールにフラグを設定したかを判定することができる。
【００２９】
また、本実施形態によれば、メニュー表示制御部７は、選択された電子メールにフラグが設定されていない場合、フィルタリングを実行する処理を示す処理項目を含まないメニューを表示部２に表示させ、選択された電子メールにフラグが設定されている場合、電子メールにフラグを設定する処理を示す処理項目を含まないメニューを表示部２に表示させる。これにより、表示部２に表示させる情報量を少なくすることができる。携帯電話装置の表示部２は、ＰＣのディスプレイなどと比較してサイズが小さい。そのため、できる限り表示部２に表示させる情報量が少ないことが好ましい。
【００３０】
また、本実施形態によれば、フラグ設定部４は、選択された電子メールに複数の色のフラグの中から任意の色のフラグを設定し、フィルタ表示制御部６は、選択された電子メールと同じ色のフラグが設定された電子メールのみを表示させる。これにより、ユーザは用途に応じて電子メールに設定するフラグの種類を変更することができ、用途毎に電子メールのフィルタリングを行うことができる。
【００３１】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、１つの電子メールに対して１つの色のフラグを設定する場合を説明したが、これに限られず、例えば１つの電子メールに対して複数種類の色のフラグを設定できるようにしても良い。
【００３２】
また、本実施形態では、フラグの種類によって電子メールの背景色を決定する場合を説明したが、これに限られず、例えばフラグの種類によって、電子メールの文字を太字で表示させること、文字を斜体で表示させること、また背景ではなく文字色を変更させることなど、様々な強調表示の方法が挙げられる。
【００３３】
上述の携帯電話装置は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３５】
１…記憶部  ２…表示部  ３…選択部  ４…フラグ設定部  ５…一覧表示制御部  ６…フィルタ表示制御部  ７…メニュー表示制御部
【図１】
0005674109.tif 000002
【図２】
0005674109.tif 000003
【図３】
0005674109.tif 000004